(57)【要約】【課題】本開示は、サービスエリア内の通信機器による通信を制御することに関する。【解決手段】サービスエリア内における複数のアンテナを介した同時通信のためのリソースを割り当て、この割り当てたリソースの情報を、複数の制御チャネルを介して通信機器に送信する。通信機器は、複数の制御チャネルを受け取り、情報に基づいて複数のアンテナを介して同時に通信することができる。【選択図】図４
2018007261.tif 000002
【特許請求の範囲】
【請求項１】
通信機器による通信を制御する方法であって、
前記通信機器に割り当てられた、サービスエリア内における複数のアンテナを介した通信のためのリソースの情報を、複数の制御チャネル上で受け取るステップと、
前記情報に基づいて、前記複数のアンテナを介して同時に通信するステップと、
を含むことを特徴とする方法。
【請求項２】
通信システムのサービスエリア内におけるリソース割り当て方法であって、
前記サービスエリア内における複数のアンテナを介した同時通信のためのリソースを通信機器に割り当てるステップと、
前記割り当てたリソースの情報を、複数の制御チャネルを介して前記通信機器に送信するステップと、
を含むことを特徴とする方法。
【請求項３】
前記情報は、トランスポートブロックを割り当てるリソースグラントを含む、
ことを特徴とする請求項１又は２に記載の方法。
【請求項４】
１つのサブフレーム内で複数のリソースグラントをシグナリングするステップを含む、ことを特徴とする請求項３に記載の方法。
【請求項５】
前記アンテナの各々を介した通信のためにリソースが個別に割り当てられる、
ことを特徴とする請求項１から４のいずれかに記載の方法。
【請求項６】
前記同時通信は、単一キャリア上の通信を含む、
ことを特徴とする請求項１から５のいずれかに記載の方法。
【請求項７】
前記制御チャネルをアンテナポート及びトランスポートブロックに関連付けるステップを含む、
ことを特徴とする請求項１から６のいずれかに記載の方法。
【請求項８】
前記複数のアンテナのアンテナポートに基準信号をマッピングするステップを含む、
ことを特徴とする請求項１から７のいずれかに記載の方法。
【請求項９】
基準信号チャネルを共有物理チャネルにマッピングするステップを含む、
ことを特徴とする請求項１から８のいずれかに記載の方法。
【請求項１０】
割り当てたトランスポートブロック、コードワード選択、ランク及びアンテナポートのうちの少なくとも１つについての情報を前記通信機器に提供するステップを含む、
ことを特徴とする請求項１から９のいずれかに記載の方法。
【請求項１１】
伝送したトランスポートブロック、コードワード、ランク及びアンテナポートのうちの少なくとも１つについての情報をダウンリンク制御情報要素内で通信するステップを含む、
ことを特徴とする請求項１から１０のいずれかに記載の方法。
【請求項１２】
前記割り当てたリソースに関する前記情報を物理ダウンリンク制御チャネルでシグナリングするステップを含む、
ことを特徴とする請求項１から１１のいずれかに記載の方法。
【請求項１３】
異なるアンテナに関連するトランスポートブロックに異なるリソースを割り当てるステップを含む、
ことを特徴とする請求項１から１２のいずれかに記載の方法。
【請求項１４】
前記制御チャネルに関連する探索空間の間のオフセットの使用を含む、
ことを特徴とする請求項１から１３のいずれかに記載の方法。
【請求項１５】
前記アンテナは、セルの指向性アンテナを含む、
ことを特徴とする請求項１から１４のいずれかに記載の方法。
【請求項１６】
前記通信機器は、前記複数のアンテナに対して移動する、
ことを特徴とする請求項１から１５のいずれかに記載の方法。
【請求項１７】
前記通信機器により複数の制御チャネルをモニタするステップを含む、
ことを特徴とする請求項１から１６のいずれかに記載の方法。
【請求項１８】
空間周波数ブロック符号化を通信に使用するステップを含む、
ことを特徴とする請求項１から１７のいずれかに記載の方法。
【請求項１９】
サービスエリア内における通信機器によるリソースの使用を制御するための装置であって、該装置は、
少なくとも１つのプロセッサと、
コンピュータプログラムコードを含む少なくとも１つのメモリと、
を備え、前記少なくとも１つのメモリ及び前記コンピュータプログラムコードは、前記少なくとも１つのプロセッサを用いて、
複数の制御チャネルをモニタして、前記サービスエリア内における複数のアンテナを介した通信のために割り当てられたリソースの情報を受け取り、
前記情報に基づいて、前記複数のアンテナを介して同時通信が行われるようにする、  ように構成される、
ことを特徴とする装置。
【請求項２０】
サービスエリア内における通信機器によるリソースの使用を制御するための装置であって、該装置は、
少なくとも１つのプロセッサと、
コンピュータプログラムコードを含む少なくとも１つのメモリと、
を備え、前記少なくとも１つのメモリ及び前記コンピュータプログラムコードは、前記少なくとも１つのプロセッサを用いて、
前記サービスエリア内における複数のアンテナを介した同時通信のためのリソースを前記通信機器に割り当て、
前記割り当てたリソースの情報が、複数の制御チャネルを介して前記通信機器に送信されるようにする、
ように構成される、
ことを特徴とする装置。
【請求項２１】
前記情報は、トランスポートブロックを割り当てるリソースグラントを含む、
ことを特徴とする請求項１９又は２０に記載の装置。
【請求項２２】
複数のリソースグラントが１つのサブフレーム内でシグナリングされるようにするよう構成される、
ことを特徴とする請求項２１に記載の装置。
【請求項２３】
前記アンテナの各々を介した通信のためにリソースが個別に割り当てられる、
ことを特徴とする請求項１９から２２のいずれかに記載の装置。
【請求項２４】
前記通信機器は、前記複数のアンテナを介して単一キャリア上で通信するように構成される、
ことを特徴とする請求項１９から２３のいずれかに記載の装置。
【請求項２５】
前記制御チャネルをアンテナポート及びトランスポートブロックに関連付けるように構成される、
ことを特徴とする請求項１９から２４のいずれかに記載の装置。
【請求項２６】
前記複数のアンテナのアンテナポートに基準信号をマッピングするように構成される、ことを特徴とする請求項１９から２５のいずれかに記載の装置。
【請求項２７】
基準信号チャネルを共有物理チャネルにマッピングするように構成される、
ことを特徴とする請求項１９から２６のいずれかに記載の装置。
【請求項２８】
割り当てたトランスポートブロック、コードワード選択、ランク及びアンテナポートのうちの少なくとも１つについての情報を前記通信機器に提供するように構成される、
ことを特徴とする請求項１９から２７のいずれかに記載の装置。
【請求項２９】
前記割り当てたリソースに関する前記情報を物理ダウンリンク制御チャネルでシグナリングするように構成される、
ことを特徴とする請求項１９から２８のいずれかに記載の装置。
【請求項３０】
異なるアンテナに関連するトランスポートブロックに異なるリソースを割り当てるように構成される、
ことを特徴とする請求項１９から２９のいずれかに記載の装置。
【請求項３１】
前記制御チャネルに関連する探索空間の間のオフセットを使用するように構成される、ことを特徴とする請求項１９から３０のいずれかに記載の装置。
【請求項３２】
前記複数のアンテナは、少なくとも１つの指向性アンテナを含む、
ことを特徴とする請求項１９から３１のいずれかに記載の装置。
【請求項３３】
前記通信機器は、前記複数の制御チャネル及びアンテナの使用を可能にする伝送モードを有するように構成される、
ことを特徴とする請求項１９から３２のいずれかに記載の装置。
【請求項３４】
請求項１９から３３のいずれかに記載の装置を備えた通信システムのための機器。
【請求項３５】
基地局又はモバイルユーザ装置を含む、
ことを特徴とする請求項３４に記載の機器。
【請求項３６】
データ処理装置上で実行された時に、請求項１から１８のいずれかに記載のステップを実行するようにされたプログラムコード手段を含む、
ことを特徴とするコンピュータプログラム。
【請求項３７】
請求項１９から３５のいずれかに記載の装置又は機器を備える、
ことを特徴とする通信システム。
【発明の詳細な説明】
【技術分野】
【０００１】
本開示は、無線通信のためのリソースの割り当てに関する。
【背景技術】
【０００２】
通信システムは、モバイル通信機器及びその他の局などの、２又はそれ以上のエンティティ間の通信を容易にすることができる。通常、通信システム及び互換通信機器は、システムに関連する様々なエンティティが何をすることができるか、及びいかにしてそれを達成すべきかを示す所与の標準又は仕様に従って動作する。例えば、典型的には、通信機器がいかにして通信システムにアクセスできるか、並びに通信機器、通信ネットワークの要素及び／又はその他の通信機器の間でいかにして通信を実施すべきかが規定される。
【０００３】
無線通信システムでは、少なくとも２つの局間の通信の少なくとも一部が無線リンクを介して行われる。従って、通常、無線システムでは、通信機器が、アクセスノード及び／又は別の通信機器と通信できる送受信機局を提供する。無線システムの例としては、公衆陸上移動体ネットワーク（ＰＬＭＮ）、衛星通信システム、及び、例えば無線ローカルエリアネットワーク（ＷＬＡＮ）などの様々な無線ローカルネットワークが挙げられる。無線システムでは、基地局がアクセスノードを提供する。基地局の無線カバレッジ領域はセルとして知られており、従って無線システムはセルラーシステムと呼ばれることが多い。システムによっては、基地局アクセスノードがＮｏｄｅＢと呼ばれる。
【０００４】
通信システムには、適当な通信機器を介してアクセスすることができる。ユーザの通信機器は、ユーザ装置（ＵＥ）と呼ばれることが多い。通信機器は、他のパーティとの通信を可能にするための適当な信号送受信構成を備える。無線通信機器の特徴は、これらの機器がそのユーザに移動性を提供する点である。モバイル通信機器、すなわち略してモバイル機器を、１つの基地局から別の基地局に、さらには異なるシステムに属する基地局間で移行すなわちハンドオーバすることもできる。
【発明の概要】
【発明が解決しようとする課題】
【０００５】
性能を高めるために、送信ダイバーシチが提案されている。例えば、送信ダイバーシチを用いたシングルアンテナポートモードが提案されている。別の方法には、多入力多出力（ＭＩＭＯ）マルチアンテナ構成の使用がある。ＬＴＥリリース８ではダウンリンク（ＤＬ）ＭＩＭＯが、ＬＴＥリリース１０ではアップリンク（ＵＬ）ＭＩＭＯが提案されている。この提案では、同じリソース上で複数の伝送ブロック（ＴＢ）を搬送することができる。しかしながら、複数の伝送ブロックに異なるリソースを割り当てることは不可能であり、従ってマルチアンテナ局が提供できるスケジューリングの柔軟性は極めて限られる。２つのアンテナサイトからの２つの指向性アンテナを互いに向き合うように配置して、これらが単一セルと見なされるようにすることもできる。１つの送信アンテナが１つのトランスポートブロックをサポートして、同じ周波数リソースにマッピングすることができる。しかしながら、指向性アンテナを使用すると、２つのリンクのチャネル品質が著しく異なるので、送信ダイバーシチモードの利得は、例えば多入力多出力（ＭＩＭＯ）マルチアンテナ構成ほどは高くない。
【０００６】
本発明の実施形態は、これらの問題点の１つ又はいくつかに対処することを目的とするものである。
【課題を解決するための手段】
【０００７】
ある実施形態によれば、通信機器による通信を制御する方法が提供され、この方法は、通信機器に割り当てられた、サービスエリア内における複数のアンテナを介した通信のためのリソースの情報を、複数の制御チャネル上で受け取るステップと、この情報に基づいて、複数のアンテナを介して同時に通信するステップとを含む。
【０００８】
ある実施形態によれば、通信システムのサービスエリア内におけるリソース割り当て方法が提供され、この方法は、サービスエリア内における複数のアンテナを介した同時通信のためのリソースを通信機器に割り当てるステップと、この割り当てたリソースの情報を、複数の制御チャネルを介して通信機器に送信するステップとを含む。
【０００９】
ある実施形態によれば、サービスエリア内における通信機器によるリソースの使用を制御するための装置が提供され、この装置は、少なくとも１つのプロセッサと、コンピュータプログラムコードを含む少なくとも１つのメモリとを備え、少なくとも１つのメモリ及びコンピュータプログラムコードは、少なくとも１つのプロセッサを用いて、複数の制御チャネルをモニタして、サービスエリア内における複数のアンテナを介した通信のために割り当てられたリソースの情報を受け取り、この情報に基づいて、複数のアンテナを介して同時通信が行われるようにするよう構成される。
【００１０】
ある実施形態によれば、サービスエリア内における通信機器によるリソースの使用を制御するための装置が提供され、この装置は、少なくとも１つのプロセッサと、コンピュータプログラムコードを含む少なくとも１つのメモリとを備え、少なくとも１つのメモリ及びコンピュータプログラムコードは、少なくとも１つのプロセッサを用いて、サービスエリア内における複数のアンテナを介した同時通信のためのリソースを通信機器に割り当て、この割り当てたリソースの情報が、複数の制御チャネルを介して通信機器に送信されるようにするよう構成される。
【００１１】
より詳細な実施形態によれば、前記情報は、トランスポートブロックを割り当てるリソースグラントを含む。１つのサブフレーム内で複数のリソースグラントをシグナリングすることができる。
【００１２】
アンテナの各々を介した通信のためにリソースを個別に割り当てることができる。異なるアンテナに関連するトランスポートブロックには、異なるリソースを割り当てることができる。
【００１３】
同時通信は、単一キャリア上の通信を含むことができる。
【００１４】
制御チャネルを、アンテナポート及びトランスポートブロックに関連付けることができる。複数のアンテナのアンテナポートに基準信号をマッピングすることができる。基準信号チャネルを、共有物理チャネルにマッピングすることができる。
【００１５】
伝送したトランスポートブロック、コードワード、ランク及びアンテナポートのうちの少なくとも１つの情報をダウンリンク制御情報要素内で通信することができる。割り当てたリソースに関する情報を、物理ダウンリンク制御チャネルでシグナリングすることができる。
【００１６】
制御チャネルに関連する探索空間の間にオフセットを使用することができる。
【００１７】
複数のアンテナは、セルの指向性アンテナを含むことができる。
【００１８】
通信機器は、複数のアンテナに対して移動することができる。
【００１９】
通信機器は、複数の制御チャネル及びアンテナの使用を可能にする伝送モードを有するように構成することができる。
【００２０】
本明細書に記載する方法を実行するようにされたプログラムコード手段を含むコンピュータプログラムを提供することもできる。さらなる実施形態によれば、上記の方法の少なくとも１つを提供するための装置、及び／又はコンピュータ可読媒体上に具体化できるプログラム製品が提供される。
【００２１】
以下の詳細な説明及び添付の特許請求の範囲では、他の様々な態様及びさらなる実施形態を記載する。
【００２２】
本発明のいくつかの実施形態をより良く理解できるように、ほんの一例として添付図面を参照する。
【図面の簡単な説明】
【００２３】
【図１】各方向からのアンテナポートが１つ存在するバックホールシナリオの基準信号マッピングを示す図である。
【図２】通信機器の例を示す図である。
【図３】基地局のコントローラ装置の例を示す図である。
【図４】ある実施形態を示すフローチャートである。
【図５】各方向からのアンテナポートが複数存在するバックホールシナリオの基準信号マッピングを示す図である。
【発明を実施するための形態】
【００２４】
以下、モバイル通信機器にサービスを提供する無線又はモバイル通信システムを参照しながら特定の例示的な実施形態について説明する。従って、例示的な実施形態を詳細に説明する前に、説明する例の基礎を成す技術を理解する助けとなるように、無線通信システム及びモバイル通信機器のいくつかの一般原理について簡単に説明する。
【００２５】
通信システムの非限定的な例に、第３世代パートナーシッププロジェクト（３ＧＰＰ）による標準化の段階にある、ユニバーサル移動体電気通信システム（ＵＭＴＳ）のロングターム・エボリューション（ＬＴＥ）がある。ＬＴＥをさらに発展させたものは、ＬＴＥ−Ａｄｖａｎｃｅｄと呼ばれる。３ＧＰＰ仕様書の用語では、ＬＴＥの基地局はＮｏｄｅＢ（ＮＢ）として知られている。ＬＴＥベースのシステムは、進化型ユニバーサル地上波無線アクセスネットワーク（Ｅ−ＵＴＲＡＮ）として知られているモバイルアーキテクチャを利用することができる。このようなシステムの基地局は、進化型ＮｏｄｅＢ（ｅＮＢ）として知られており、ユーザプレーンの無線リンク制御／媒体アクセス制御／物理層プロトコル（ＲＬＣ／ＭＡＣ／ＰＨＹ）及び制御プレーンの無線リソース制御（ＲＲＣ）プロトコルのユーザ機器に向かう終端などのＥ−ＵＴＲＡＮ機能を提供することができる。無線サービスのその他の例としては、無線ローカルエリアネットワーク（ＷＬＡＮ）及び／又はＷｉＭａｘ（ワールドワイド・インターオペラビリティ・フォー・マイクロウェーブ・アクセス）などの技術に基づく、システムの基地局により提供されるものが挙げられる。
【００２６】
基礎的な標準規格に関わらず、モバイル通信機器には、アクセスシステムの少なくとも１つの基地局又は同様の無線送受信機ノードを介した無線アクセスを提供することができる。
【００２７】
アクセスシステムは、通信機器が通信システムにアクセスすることを可能にするセルラーシステムのセル又は別の無線サービスエリアによって提供することができる。従って、以下ではアクセスシステムのことを無線サービスエリア又はセルと呼ぶ。通常は、基地局サイトがセルを提供する。基地局サイトは、例えばそれぞれがセル又はセルの下位無線サービスエリアを提供する３つの無線セクタなどの複数のセクタを提供することができる。
【００２８】
図１の例に示すように、コントローラ３０に接続された複数のアンテナサイト１及び２が、セル１０を提供することができる。図１の例では、アンテナサイト１及び２の各々が、ビーム６及び７を形成する指向性アンテナを実現する。図示のように、指向性ビーム６及び７は、互いに重なり合うことができる。適当な伝送スキームを使用して、２アンテナサイト送信ダイバーシチ及び２つのトランスポートブロックの送受信を可能にすることができる。通信は、例えば周波数リソースなどの単一キャリア上で行うことができる。
【００２９】
移動車両上のユーザに通信リンクを提供するには、ＬＴＥベースのバックホール機能を使用することができる。例えば、列車５上に、線路に隣接して固定されたｅＮＢと通信できるノードを提供することができる。図１の例では、列車ブロック５を、２つの指向性アンテナを備えた通信機器の例と見なすことができる。列車５のアンテナ３及び４は、列車上のユーザ装置にサービスを提供する中継ノードを含むことができる。セル及び列車上の中継ノードは、いずれも指向性アンテナを有することができる。受信機及び送信機の両方に指向性アンテナを設けた場合、２つの強力なリンクを形成できるエリアが線路沿いに生じる。一方のリンクは、列車上の前方を向いたアンテナ４と、列車の前方にあるアンテナサイト２との間に生じることができる。そして、他方のリンクは、列車上の後方を向いたアンテナ３と、列車の後方にあるアンテナサイト１との間に生じるようになる。
【００３０】
実装に関わらず、本明細書で説明する実施形態では、例えばＬＴＥセルのｅＮＢなどの無線サービスエリアの制御ノードと通信する通信機器として動作するノードを例示している。従って、図１のブロック５は、ｅＮＢ又は同様の基地局構成の２つのアンテナサイトと通信するあらゆるマルチアンテナ式モバイル通信機器を表していると見なすことができる。
【００３１】
ある態様によれば、セルの２つの別個のアンテナサイトにより提供される２つのリンクを活用するために、通信機器とセルの間の通信が、通信機器と両アンテナとの間で同時に行われる。この通信をサポートする方法は様々である。例えば、２つのアンテナサイトの２つの指向性アンテナ１及び２を互いに向き合うように配置して、これらが単一セルと見なされるようにすることができる。アンテナ毎に１つの共通基準信号（ＣＲＳ）ポートで、デュアルポート共通基準信号（ＣＲＳ）を構成することができる。
【００３２】
基地局の動作を可能にするとともに、複数のアンテナサイトを介して基地局と通信するモバイル通信機器の管理を可能にするために、複数のアンテナサイトを含む基地局構成を、少なくとも１つの適当なコントローラ３０によって制御することができる。この制御装置は、他の制御エンティティと相互接続することができる。基地局は、より広大な通信ネットワークに接続することができる。アクセスシステムの動作を調整するためのコントローラを設けることもできる。このネットワークを介して別のネットワークに接続するためのゲートウェイ機能を設けることもできる。この別のネットワークは、あらゆる適当なネットワークとすることができる。従って、１又はそれ以上の相互接続ネットワーク及びその要素によって広大な通信システムを提供し、様々なネットワークを相互接続するための１又はそれ以上のゲートウェイを設けることができる。
【００３３】
図２は、ユーザが通信に使用できる通信機器２１の概略部分断面図である。このような通信機器は、ユーザ装置（ＵＥ）又は端末と呼ばれることが多い。無線信号を送受信できるあらゆる装置により、適当なモバイル通信機器を提供することができる。非限定的な例として、携帯電話機又は「スマートフォン」として知られているものなどの移動局（ＭＳ）、無線インターフェイスカード又はその他の無線インターフェイス機構を備えたポータブルコンピュータ、無線通信能力を備えた携帯情報端末（ＰＤＡ）、又はこれらのあらゆる組み合わせなどが挙げられる。モバイル通信機器は、例えば、音声、電子メール（ｅメール）、テキストメッセージ及びマルチメディアなどの通信を伝えるためのデータを通信することができる。従って、ユーザの通信機器を介して、ユーザに数多くのサービスを提案及び提供することができる。これらのサービスの非限定的な例として、双方向又は多方向通話、データ通信又はマルチメディアサービス、或いは単純に、インターネットなどのデータ通信ネットワークシステムへのアクセスが挙げられる。ブロードキャストデータ又はマルチキャストデータをユーザに提供することもできる。これらのコンテンツの非限定的な例としては、ダウンロード、テレビ番組及びラジオ番組、ビデオ、広告、様々な警告及びその他の情報が挙げられる。
【００３４】
モバイル通信機器２１は、信号を送受信するための適当な装置を介し、無線インターフェイス２８を通じて信号を送受信することができる。例えば、図１では、モバイル通信機器が、指向性アンテナ３及び４を介してアンテナサイト１及び２と通信することができる。図２では、ブロック２７によって送受信機装置を概略的に示している。この送受信機は、例えば無線部及び関連するアンテナ構成によって実現することができる。このアンテナ構成は、モバイル装置の内部に配置しても、又は外部に配置してもよい。無線通信機器は、多入力多出力（ＭＩＭＯ）アンテナシステムを備えることができる。
【００３５】
通常、モバイル通信機器は、少なくとも１つのデータ処理エンティティ２３と、少なくとも１つのメモリ２４と、基地局及びその他の通信機器へのアクセス、及びこれらとの通信の制御を含む、モバイル通信機器が実行するように設計されたソフトウェア及びハードウェア支援によるタスクの実行で使用されるその他の考えられる構成要素２９とをさらに備える。これらのデータ処理装置、記憶装置、及びその他の関連する制御装置は、適当な回路基板上及び／又はチップセット内に提供することができる。この特徴部を参照番号２６によって示す。本発明のいくつかの実施形態による、データ処理機構を通じてシグナリング情報及びデータを受信及び／又は送信するようにモバイル通信機器を構成することに鑑みて考えられる制御機能については、本説明内で後述する。
【００３６】
ユーザは、キーパッド２２、音声コマンド、タッチセンサ式画面又はパッド、或いはこれらの組み合わせなどの好適なユーザインターフェイスを介して通信機器の動作を制御することができる。通常は、ディスプレイ２５、スピーカ及びマイクも備わる。さらに、モバイル通信機器は、他の装置への、及び／又は他の装置にハンズフリー装置などの外部アクセサリを接続するための（有線又は無線のいずれかの）適当なコネクタを含むこともできる。
【００３７】
図３に、例えば基地局及び／又は少なくとも２つのアンテナサイトに結合される、基地局の無線サービスエリア内に設けられる少なくとも２つのリンクを介した通信を制御するための制御装置３０の例を示す。制御装置３０は、サービスエリア内に存在するモバイル通信機器による少なくとも２つの異なるリンクを介した通信のリソースの使用を制御するように構成することができる。制御装置３０は、後述するいくつかの実施形態による、リソース割り当て情報及びその他の関連情報の生成及び通信に関連する制御機能、並びにデータ処理機構を通じたシグナリング及びデータ通信のリソース割り当てを調整するための制御機能を提供するように構成することができる。この目的のために、制御装置３０は、少なくとも１つのメモリ３１と、少なくとも１つのデータ処理装置３２、３３と、入出力インターフェイス３４とを備える。この制御装置は、インターフェイスを介して基地局の受信機及び送信機装置に結合することができる。制御装置３０は、制御機能を提供するのに適したソフトウェアコードを実行するように構成することができる。
【００３８】
基地局装置、通信機器、中継局及びその他のいずれかの適当な局の必要なデータ処理装置及び機能は、１又はそれ以上のデータプロセッサによって提供することができる。各部門における説明した機能は、別個のプロセッサ又は統合プロセッサにより提供することができる。これらのデータプロセッサは、ローカル技術環境に適したいずれのタイプのものであってもよく、非限定的な例として、１又はそれ以上の汎用コンピュータ、特殊用途向けコンピュータ、マイクロプロセッサ、デジタルシグナルプロセッサ（ＤＰＳ）、特定用途向け集積回路（ＡＳＩＣ）、ゲートレベル回路、及びマルチコアプロセッサアーキテクチャに基づくプロセッサを挙げることができる。複数のデータ処理モジュールにわたってデータ処理を分散させることもできる。データプロセッサを、例えば少なくとも１つのチップによって実現することもできる。関連する機器内に適当な記憶容量を与えることもできる。これらの１又は複数のメモリは、ローカル技術環境に適したいずれのタイプのものであってもよく、半導体ベースの記憶装置、磁気記憶装置及びシステム、光学記憶装置及びシステム、固定メモリ及び取り外し可能なメモリなどのあらゆる好適なデータ記憶技術を用いて実装することができる。
【００３９】
通常、通信システム内で通信する機器間には、様々なチャネルが提供される。物理ダウンリンク制御チャネル（ＰＤＣＣＨ）は、リソース割り当てに関連するスケジューリング割り当て及びその他の制御情報を搬送するために使用できる制御チャネルの例である。物理制御チャネルは、１又は複数の連続する制御チャネル要素を束ねたもので伝送することができる。
【００４０】
２つのアンテナ１及び２は離れて配置される。にもかかわらず、アンテナ１及び２は、例えばｅＮＢなどの同じ基地局に接続することができる。従って、セル内には２つのアンテナサイトが形成されるが、このセルは、１つの基地局しか含むことができない。基地局のコントローラ３０は、例えば別個の物理ダウンリンク制御チャネル（ＰＤＣＣＨ）などの別個の制御チャネルを含む各リンクに、異なるリソースを個別に割り当てることができる。
【００４１】
図４は、ある実施形態による、セルのエリア内の通信機器に対して複数の制御チャネルを利用可能にするフローチャートである。例えば、空間周波数ブロック符号化（ＳＦＢＣ）を用いて複数の物理制御チャネルを伝送することができる。より具体的には、１００において、コントローラが、サービスエリア内の複数のアンテナを介して同時通信を行えるように通信機器にリソースを割り当てることができる。１０２において、コントローラは、前記割り当てたリソースについての情報が複数の制御チャネルを介して通信機器に送信されるようにする。通信機器は、これらの制御チャネルをモニタすることにより、１０４において情報を受け取る。その後、通信機器は、この情報に基づいて、１０６において複数のアンテナを介して同時に通信することができる。
【００４２】
通信機器と２つのアンテナサイトとの間の通信は、単一のキャリア上で行うことができる。制御チャネルを介して通信される、アンテナに関連する情報は、トランスポートブロックを割り当てるリソースグラントを含むことができる。１つのサブフレーム内で複数のリソースグラントをシグナリングすることができる。各アンテナを介した通信に対して、リソースを個別に割り当てることができる。
【００４３】
構成の柔軟性を高めて複数のトランスポートブロック（ＴＢ）を同じリソース上で伝送できるようにするために、２つのトランスポートブロックに対して物理リソースブロック（ＰＲＢ）の割り当てを個別に行うことができる。例えば、コントローラ３０は、２つのトランスポートブロックに対して、別個のＰＤＣＣＨを含む各リンクの物理リソースブロック（ＰＲＢ）、変調符号化方式（ＭＣＳ）及びトランスポートブロックサイズ（ＴＢＳ）などの異なるリソースを割り当てることができる。
【００４４】
可能性によれば、例えば２つのトランスポートブロックを送受信できるアラモチ（Ａｌａｍｏｕｔｉ）型の空間周波数ダイバーシチブロック符号化に基づいて、２アンテナ送信ダイバーシチを提供することができる。このスキームでは、トランスポートブロックを送信アンテナごとにサポートして、同じ周波数リソースにマッピングすることができる。２つのリンクの変調符号化方式（ＭＣＳ）は柔軟に調整することができ、従って２つのアンテナ又はトランスポートブロックに関してビットレートをリンク品質に個別に適合させることができる。
【００４５】
これらの実施形態では、例えばｅＮＢスケジューラなどのスケジューラのスケジューリング上の柔軟性を高めることができる。ＥＮＢスケジューラは、図３の制御装置３０内に設けることができる。
【００４６】
このマルチアンテナ・マルチサイト・ダイバーシチスキームを、例えばリンク毎に送信機受信機（ｔｒｘ）チェーンが２つ、すなわち全部で４つの送信機受信機及びポートが存在するような事例に拡張することができる。この事例を図５に示す。
【００４７】
ある実施形態によれば、ネットワークが、１つのサブフレーム内で複数のダウンリンク及び／又はアップリンクリソースグラントをユーザ装置に送信する。各グラントにより、１つのトランスポートブロックを割り当てることができる。可能性によれば、複数のグラントのうちの少なくとも１つによって複数のトランスポートブロックが割り当てられる。
【００４８】
通信機器を、複数の制御チャネルを受け取って処理できる特定の動作モードを有するように構成することができる。ある実施形態によれば、共通基準信号（ＣＲＳ）に基づく伝送モードが与えられる。例えばモバイルユーザ装置などの通信機器は、このモードの時には、コードワードからアンテナポートへのマッピングに関する情報、及び伝送に使用するランクに関する情報を受け取ることができる。これらの情報は、ユーザ装置が共通基準信号チャネルを物理ダウンリンク共有チャネル（ＰＤＳＣＨ）にマッピングできるようにするために提供されるものである。この情報は、適当な制御情報要素内で伝送することができる。
【００４９】
例えば、ランク１の閉ループプリコーディングを用いたＰＤＳＣＨ伝送（伝送モード６）に対するリソース割り当てのシグナリングに、修正されたダウンリンク制御情報（ＤＣＩ）フォーマット１Ｂを使用することができる。フォーマット１Ｂの情報は、ＤＣＩモード１Ａのものとほぼ同じであるが、プリコーディングベクトルのインジケータが加わる。ある実施形態によれば、トランスポートブロック及びコードワード選択、並びにプリコーディングマトリクスインジケーション（ＰＭＩ）の再解釈をＤＣＩフォーマット１Ｂ要素に加えて、２つの考えられるポートのうちのＣＲＳポートに、又は４つの考えられるポートのうちの２つのＣＲＳポートにコードワードがマッピングされるようにすることができる。４つのＣＲＳポートを使用する場合、ランクインジケーションビットも加えることができる。
【００５０】
別の考えられるモードに、専用又は復調基準信号（ＤＲＳ又はＤＭ  ＲＳ）の使用に基づく伝送モードがある。通常、専用基準信号は、ダウンリンク（ＤＬ）伝送モード７〜９に使用される。例えば、このモードで必要な追加情報を搬送するために、修正されたＤＣＩフォーマット１を使用することができる。例えば、アンテナポート、トランスポートブロック及びコードワード選択に関する情報を提供することができる。ＰＨＹにおいてＭＩＭＯの空間多重化のために２つよりも多くのレイヤを使用する場合、ランクインジケーションビットを使用することができる。１つのコードワードに対して最大４つのレイヤをマッピングすることができる。
【００５１】
別の例に、修正されたＤＣＩフォーマット０を使用できるアップリンク伝送モードがある。通常、ＤＣＩフォーマット０は、物理アップリンク共有チャネル（ＰＵＳＣＨ）グラントに使用される。この修正されたＤＣＩフォーマット０は、どのトランスポートブロック／コードワードが伝送されるかについてのインジケーション、及びアンテナポートインジケーションを含むことができる。２つよりも多くのレイヤを使用する場合、ランクインジケーションビットを使用することができる。
【００５２】
ユーザ装置は、ユーザ装置内にこのような伝送モードが構成された場合、複数のＰＤＣＣＨをモニタすることができる。ユーザ装置は、関連するＰＤＣＣＨがいずれのアンテナポート及びトランスポートブロックを参照しているかを識別することができる。
【００５３】
ＰＨＹ及びＲＲＣ仕様では、二重又は多重ＰＤＣＣＨ伝送のための新たな伝送モードを規定する必要がありそうである。
【００５４】
ＤＲＳモード及びアップリンクモードのいくつかの応用では、コードワードとアンテナポートの間の固定マッピングを使用することができる。
【００５５】
情報の一部は、暗黙的にシグナリングすることができる。例えば、利用可能な探索空間の異なる部分を異なるトランスポートブロックにリンクさせることなどにより、情報をシグナリングすることができる。しかしながら、アンテナポートに対するＰＤＣＣＨの使用を対応する探索空間に限定しない、ダウンリンク割り当て／アップリンクグラントにおける明示的なシグナリングを使用して、より柔軟な解決策を提供することができる。
【００５６】
いくつかの応用では、ダウンリンクにおける通信機器が、ＰＤＣＣＨの場所、ＰＤＣＣＨフォーマット及びＤＣＩフォーマットの全ての考えられる組み合わせをチェックし、これに従って動作する必要がある。しかしながら、このような「ブラインド・デコーディング」では、通信機器が各サブフレームにおいてデコーディングを複数回試みることが必要になる場合がある。これには、ＰＤＣＣＨを配置できる一連の制御チャネル要素の場所を限定して機器に割り当てることにより対処することができる。ＰＤＣＣＨを配置できる一連の場所は、探索空間と呼ばれることが多い。探索空間は、ＰＤＣＣＨ毎にサイズが異なり得る。通信機器には、専用の及び共通の探索空間を定義することができる。専用探索空間は、各ダウンリンク機器に対して個別に構成することができる。共通探索空間の範囲は、全ての機器に対して通知することができる。
【００５７】
１つのユーザ装置に相当量のダウンリンク制御情報が伝送される場合、ブロッキングを回避するために探索空間を拡張することが必要になる場合がある。しかしながら、セクタ当たりにそれほど多くのユーザ装置が存在するとは考えられず、従って通常の使用シナリオでは、物理ダウンリンク制御チャネル（ＰＤＣＣＨ）のブロッキングが度を過ぎて問題になるとは考えられない。例えば、セクタ当たりの最大ユーザ装置数は２と想定することができる。
【００５８】
ある実施形態によれば、追加の（単複の）ＰＤＣＣＨに関して探索空間オフセットを構成することができる。これにより、異なる基地局からの異なる制御チャネルを区別することができる。例えば、探索空間オフセットをアンテナポートインジケーションに関連付けることができる。
【００５９】
ハイブリッド自動再送要求（ＨＡＲＱ）スキームのためのＡＣＫ／ＮＡＣＫコードブックは、構成されるトランスポートブロックの数に基づくことができる。例えば、ＬＴＥでは、最大２つのトランスポートブロックを構成することができ、関連するＡＣＫ／ＮＡＣＫメッセージを基地局にフィードバックできるようにすることが提案されている。
【００６０】
基地局サイトとユーザ装置の間の通信は、中継を介して実現することができる。中継では、基地局とユーザ装置の間に、中継局（ＲＳ）又は中継ノード（ＲＮ）と呼ばれるエンティティを設けることができる。中継ノードは、例えば他の基地局のような固定式のものであっても、或いは、例えば図１及び図５に示すような列車に取り付けられた移動式のものであってもよい。システムによっては、通信ネットワークの一部ではない、日和見的に利用可能なユーザ装置／モバイル端末によって中継ノード又は中継局を提供することができる。中継ノード（ＲＮ）は、通信システムに、典型的には無線アクセスネットワークに接続された局に、無線で接続することができる。このような局は、ドナー局又はドナーセルと呼ばれることが多い。ドナー局は、中継に対して、無線バックホールのためのリソース又はバックホールリンクを提供する。
【００６１】
例えば、適切な構成及び／又はリソース割り当ての決定、並びに様々なノード間における情報の通信を引き起こすために、適切に適合する１又は複数のコンピュータプログラムコード製品を適当なデータ処理装置にロードし、又は別様に提供した場合、この１又は複数のコンピュータプログラムコード製品を使用して実施形態を実施することができる。この動作を可能にするプログラムコード製品を、適当なキャリア媒体上に記憶し、適当なキャリア媒体によって提供し、具体化することができる。適当なコンピュータプログラムをコンピュータ可読記録媒体上に具体化することもできる。データネットワークを介してプログラムコード製品をダウンロードすることもできる。一般に、様々な実施形態は、ハードウェア又は専用回路、ソフトウェア、論理回路、又はこれらのあらゆる組み合わせの形で実現することができる。従って、本発明の実施形態は、集積回路モジュールなどの様々な構成要素内で実施することができる。集積回路の設計は、概して高度に自動化されたプロセスである。論理レベルの設計を、いつでも半導体基板上にエッチング及び形成できる半導体回路設計に変換するために、複雑かつ強力なソフトウェアツールを利用することができる。
【００６２】
なお、ＬＴＥ−Ａｄｖａｎｃｅｄ（ＬＴＥ−Ａ）システム及び３ＧＰＰベースのシステムに基づくような通信システム、及びＰＤＣＣＨ上のシグナリングに関連して実施形態を説明したが、同様の原理を他の通信システム及び制御チャネルに適用することもできる。他の通信システムの非限定的な例としては、ＷＣＤＭＡ（登録商標）及びＨＳＰＡに基づくシステムが挙げられる。従って、ユーザ装置などの通信機器と基地局の間の通信の代わりに、２又はそれ以上のユーザ装置間で直接行われる通信などの様々なシナリオにおいて通信を提供することができる。例えば、このことは、例えばアドホックネットワークにおいて、固定局装置が提供されずに複数のユーザ装置によって通信システムが提供されるような用途に当てはまり得る。また、局間の伝送を中継するために中継ノードを使用するようなネットワークにおいても、上記の原理を使用することができる。従って、無線ネットワーク、技術及び標準のためのいくつかの例示的なアーキテクチャを参照しながらいくつかの実施形態を一例として説明したが、本明細書で図示し説明した以外のあらゆる好適な形の通信システムに実施形態を適用することもできる。
【００６３】
また、図１及び図５には、ダウンリンク機器が列車上に位置して別個の中継ノードを使用する例を示しているが、これが唯一の使用シナリオではない。むしろ、本開示は、サービスエリアの異なるアンテナにより、ダウンリンクの通信機器に独自のリソース割り当てを行うことができるあらゆる構成を対象範囲とすることを意図するものである。
【００６４】
可能性によれば、列車上のアンテナは、列車の通信システムの一部であり、列車の制御に関連する信号を伝送する通信システムの一部のためのものである。
【００６５】
以上、本発明の例示的な実施形態について説明したが、開示した解決策には、本発明の思想及び範囲から逸脱することなく様々な変形及び修正を行うことができる。
【符号の説明】
【００６６】
１００  サービスエリア内における複数のアンテナを介した同時通信のためのリソースを通信機器に割り当て
１０２  割り当てたリソースの情報を、複数の制御チャネルを介して通信機器に通信
１０４  割り当てたリソースの情報を、複数の制御チャネルを介して受け取り
１０６  サービスエリア内の複数のアンテナを介して同時に通信
【図１】
2018007261.tif 000003
【図２】
2018007261.tif 000004
【図３】
2018007261.tif 000005
【図４】
2018007261.tif 000006
【図５】
2018007261.tif 000007
【手続補正書】
【提出日】平成29年8月10日(2017.8.10)
【手続補正１】
【補正対象書類名】特許請求の範囲
【補正対象項目名】全文
【補正方法】変更
【補正の内容】
【特許請求の範囲】
【請求項１】
通信機器による通信を制御する方法であって、
前記通信機器に割り当てられた、サービスエリア内における複数のアンテナを介した通信のためのリソースの制御情報を、複数の制御チャネル上で受け取り、ここで前記割り当てられたリソースは、割り当てられたトランスポートブロック、コードワード選択、及びアンテナポートのうちの少なくとも１つを含むものであるステップと、
前記制御情報に従って前記複数のアンテナのアンテナポートに基準信号をマッピングするステップと、
前記制御情報に従って基準信号チャネルを共有物理チャネルにマッピングするステップと、
それに応じて、前記複数のアンテナを介して同時に通信するステップと、
を含むことを特徴とする方法。
【請求項２】
通信システムのサービスエリア内におけるリソース割り当て方法であって、
前記サービスエリア内における複数のアンテナを介した同時通信のためのリソースを通信機器に割り当て、ここで前記割り当てられたリソースは、割り当てられたトランスポートブロック、コードワード選択、及びアンテナポートのうちの少なくとも１つを含むものであるステップと、
前記複数のアンテナのアンテナポートに基準信号をマッピングするステップと、
前記割り当てたリソースの情報及び前記マッピングを、複数の制御チャネルを介して前記通信機器に送信するステップと、
を含むことを特徴とする方法。
【請求項３】
前記制御情報による前記通信は伝送モードによって利用可能にされる請求項１又は２に記載の方法。
【請求項４】
前記制御情報は、トランスポートブロックを割り当てるリソースグラントを含む、
ことを特徴とする請求項１又は２に記載の方法。
【請求項５】
単一の周波数上の１つのサブフレーム内で複数のリソースグラントをシグナリングするステップを含む、ことを特徴とする請求項４に記載の方法。
【請求項６】
前記アンテナの各々を介した通信のためにリソースが個別に割り当てられる、
ことを特徴とする請求項１から５のいずれかに記載の方法。
【請求項７】
前記同時通信は、単一キャリア上の通信を含む、
ことを特徴とする請求項１から６のいずれかに記載の方法。
【請求項８】
前記制御チャネルをアンテナポート及びトランスポートブロックに関連付けるステップを含む、
ことを特徴とする請求項１から７のいずれかに記載の方法。
【請求項９】
前記制御情報は、割り当てたトランスポートブロック、コードワード選択、ランク及びアンテナポートのうちの少なくとも１つを含む、
ことを特徴とする請求項１から８のいずれかに記載の方法。
【請求項１０】
伝送したトランスポートブロック、コードワード、ランク及びアンテナポートのうちの少なくとも１つについての情報をダウンリンク制御情報要素内で通信するステップを含む、
ことを特徴とする請求項１から９のいずれかに記載の方法。
【請求項１１】
前記割り当てたリソースに関する前記制御情報を物理ダウンリンク制御チャネルでシグナリングするステップを含む、
ことを特徴とする請求項１から１０のいずれかに記載の方法。
【請求項１２】
異なるアンテナに関連するトランスポートブロックに異なるリソースを割り当てるステップを含む、
ことを特徴とする請求項１から１１のいずれかに記載の方法。
【請求項１３】
前記制御チャネルに関連する探索空間の間のオフセットの使用を含む、
ことを特徴とする請求項１から１２のいずれかに記載の方法。
【請求項１４】
空間周波数ブロック符号化を通信に使用するステップを含む、
ことを特徴とする請求項１から１３のいずれかに記載の方法。
【請求項１５】
サービスエリア内における通信機器によるリソースの使用を制御するための装置であって、該装置は、
少なくとも１つのプロセッサと、
コンピュータプログラムコードを含む少なくとも１つのメモリと、
を備え、前記少なくとも１つのメモリ及び前記コンピュータプログラムコードは、前記少なくとも１つのプロセッサを用いて、
複数の制御チャネルをモニタして、前記サービスエリア内における複数のアンテナを介した通信のために割り当てられたリソースの制御情報を受け取り、ここで前記割り当てられたリソースは、割り当てられたトランスポートブロック、コードワード選択、及びアンテナポートのうちの少なくとも１つを含むものであり、
前記制御情報に従って前記複数のアンテナのアンテナポートに基準信号をマッピングし、
前記制御情報に従って基準信号チャネルを共有物理チャネルにマッピングし、
それに応じて、前記複数のアンテナを介して同時通信が行われるようにする、
ように構成される、
ことを特徴とする装置。
【請求項１６】
サービスエリア内における通信機器によるリソースの使用を制御するための装置であって、該装置は、
少なくとも１つのプロセッサと、
コンピュータプログラムコードを含む少なくとも１つのメモリと、
を備え、前記少なくとも１つのメモリ及び前記コンピュータプログラムコードは、前記少なくとも１つのプロセッサを用いて、
前記サービスエリア内における複数のアンテナを介した同時通信のためのリソースを前記通信機器に割り当て、ここで前記割り当てられたリソースは、割り当てられたトランスポートブロック、コードワード選択、及びアンテナポートのうちの少なくとも１つを含むものであり、
前記複数のアンテナのアンテナポートに基準信号をマッピングし、
前記割り当てたリソースの制御情報及び前記マッピングが、複数の制御チャネルを介して前記通信機器に送信されるようにする、
ように構成される、
ことを特徴とする装置。
【請求項１７】
前記制御情報は、トランスポートブロックを割り当てるリソースグラントを含む、
ことを特徴とする請求項１５又は１６に記載の装置。
【請求項１８】
複数のリソースグラントが単一の周波数上の１つのサブフレーム内でシグナリングされるようにするよう構成される、
ことを特徴とする請求項１７に記載の装置。
【請求項１９】
前記アンテナの各々を介した通信のためにリソースが個別に割り当てられる、
ことを特徴とする請求項１５から１８のいずれかに記載の装置。
【請求項２０】
前記通信機器は、前記複数のアンテナを介して単一キャリア上で通信するように構成される、
ことを特徴とする請求項１５から１９のいずれかに記載の装置。
【請求項２１】
前記制御チャネルをアンテナポート及びトランスポートブロックに関連付けるように構成される、
ことを特徴とする請求項１５から２０のいずれかに記載の装置。
【請求項２２】
前記複数のアンテナのアンテナポートに基準信号をマッピングするように構成される、ことを特徴とする請求項１５から２１のいずれかに記載の装置。
【請求項２３】
基準信号チャネルを共有物理チャネルにマッピングするように構成される、
ことを特徴とする請求項１５から２２のいずれかに記載の装置。
【請求項２４】
前記制御情報は、割り当てたトランスポートブロック、コードワード選択、ランク及びアンテナポートのうちの少なくとも１つを含む、
ことを特徴とする請求項１５から２３のいずれかに記載の装置。
【請求項２５】
前記割り当てたリソースに関する前記情報を物理ダウンリンク制御チャネルでシグナリングするように構成される、
ことを特徴とする請求項１５から２４のいずれかに記載の装置。
【請求項２６】
異なるアンテナに関連するトランスポートブロックに異なるリソースを割り当てるように構成される、
ことを特徴とする請求項１５から２５のいずれかに記載の装置。
【請求項２７】
前記制御チャネルに関連する探索空間の間のオフセットを使用するように構成される、ことを特徴とする請求項１５から２６のいずれかに記載の装置。
【請求項２８】
前記複数のアンテナは、少なくとも１つの指向性アンテナを含む、
ことを特徴とする請求項１５から２７のいずれかに記載の装置。
【請求項２９】
前記通信機器は、前記少なくとも１つの制御チャネル及びアンテナの使用を可能にする伝送モードを有するように構成される、
ことを特徴とする請求項１５から２８のいずれかに記載の装置。
【請求項３０】
請求項１５から２９のいずれかに記載の装置を備えた通信システムのための機器。
【請求項３１】
基地局又はモバイルユーザ装置を含む、
ことを特徴とする請求項３０に記載の機器。
【請求項３２】
データ処理装置上で実行された時に、請求項１から１４のいずれかに記載のステップを実行するようにされたプログラムコード手段を含む、
ことを特徴とするコンピュータプログラム。
【請求項３３】
請求項１５から３１のいずれかに記載の装置又は機器を備える、
ことを特徴とする通信システム。